【手続補正書】
【提出日】平成25年12月26日(2013.12.26)
【手続補正１】
【補正対象書類名】特許請求の範囲
【補正対象項目名】全文
【補正方法】変更
【補正の内容】
【特許請求の範囲】
【請求項１】
所定の抽選に当選した場合、図柄変動ゲームの終了後に当り遊技を付与する遊技機において、
所定の文字列を示す情報を複数個、順に表示して行う単位演出を表示手段に表示させ、１回の図柄変動ゲームで表示される前記単位演出の回数が多くなるほど当り期待度が高くなる情報表示演出を実行させる情報表示制御手段と、
演出実行手段を制御して所定の遊技演出を実行させる演出制御手段と、を備え、
前記情報には、最後の文字が予め定めた特定文字とは異なる非特定文字とされ、新たに情報が表示されることを報知する継続文字列を示す継続情報、及び最後の文字が前記特定文字とされ、新たに情報が表示されることなく前記情報表示演出が終了されることを報知する非継続文字列を示す非継続情報を含み、
前記情報表示制御手段は、
直前に表示された継続情報に示される文字列のうち最後の文字と同一の文字を最初の文字とした継続文字列を示す継続情報を表示させる継続制御、及び直前に表示された継続情報に示される文字列のうち最後の文字と同一の文字を最初の文字とした非継続文字列を示す非継続情報を表示させる非継続制御を実行可能に構成され、
今回の単位演出を最後として前記情報表示演出を終了させる場合には、今回の単位演出で表示させる情報のうち最後の情報として前記非継続情報を表示させるように前記非継続制御を実行可能とされる一方で、前記最後の情報を除く他の情報として前記継続情報を表示させるように前記継続制御を実行し、
今回の単位演出を最後として前記情報表示演出を終了させない場合には、今回の単位演出で表示させる各情報として前記継続情報を表示させるように前記継続制御を実行するようになっており、
前記演出制御手段は、前記情報表示演出において表示される可能性がある情報を遊技者に示唆する示唆演出を実行させる制御を可能に構成されたことを特徴とする遊技機。
【請求項２】
前記所定の抽選の結果に基づき前記図柄変動ゲームの変動内容を決定する変動内容決定手段と、
前記変動内容決定手段が決定した変動内容に基づき前記表示手段を制御して前記図柄変動ゲームを表示させるゲーム制御手段と、を備え、
前記変動内容決定手段が決定する変動内容には、リーチを形成して行うリーチ演出のうち特定のリーチ演出が行われる特定変動内容、及び前記特定のリーチ演出が行われない非特定変動内容を含み、
前記情報には、前記継続文字列及び前記非継続文字列とは異なる特別文字列を示す特別情報をさらに含み、
前記情報表示制御手段は、
直前に表示された継続情報に示される文字列のうち最後の文字と同一の文字を最初の文字とした特別文字列を示す特別情報を表示させる特別制御をさらに実行可能に構成され、
今回の単位演出を最後として前記情報表示演出を終了させる場合であって、前記変動内容決定手段が前記特定変動内容を決定しているときには、前記最後の情報として前記特別情報を表示させるように前記特別制御を実行可能とされる一方で、前記変動内容決定手段が前記非特定変動内容を決定しているときには、前記最後の情報として前記非継続情報を表示させるように前記非継続制御を実行可能とされ、
前記ゲーム制御手段は、
前記情報表示制御手段が前記特別情報を表示させた場合には、前記変動内容決定手段が決定した前記特定変動内容に基づき前記特定のリーチ演出を表示させる一方で、前記情報表示制御手段が前記非継続情報を表示させた場合には、前記非特定変動内容に基づいて、前記特定のリーチ演出を表示させることなく図柄を導出させて前記図柄変動ゲームを終了させることを特徴とする請求項１に記載の遊技機。
【請求項３】
前記所定の抽選の結果に基づき前記図柄変動ゲームの変動内容を決定する変動内容決定手段を備え、
前記変動内容決定手段は、前記図柄変動ゲームの変動内容を特定可能な変動パターンを決定することにより前記変動内容を決定するようになっており、
前記変動パターンは、１回の図柄変動ゲームにおいて、図柄の変動開始から一旦停止表示までを１回とする変動サイクルを複数回にわたって表示可能であることを特定可能な第１変動パターン群、及び前記変動サイクルを１回だけ表示可能であることを特定可能な第２変動パターン群に分類可能であり、
前記情報表示制御手段は、前記変動内容決定手段が前記第１変動パターン群に分類可能な変動パターンを決定した場合、この変動パターンで特定可能な変動サイクルのうち最終回の変動サイクルを除く他の変動サイクルに対応する演出時間毎に複数個の情報をそれぞれ表示させるように構成されたことを特徴とする請求項１または２に記載の遊技機。
【手続補正２】
【補正対象書類名】明細書
【補正対象項目名】０００８
【補正方法】変更
【補正の内容】
【０００８】
上記課題を解決するために、請求項１に記載の発明は、所定の抽選に当選した場合、図柄変動ゲームの終了後に当り遊技を付与する遊技機において、所定の文字列を示す情報を複数個、順に表示して行う単位演出を表示手段に表示させ、１回の図柄変動ゲームで表示される前記単位演出の回数が多くなるほど当り期待度が高くなる情報表示演出を実行させる情報表示制御手段と、演出実行手段を制御して所定の遊技演出を実行させる演出制御手段と、を備え、前記情報には、最後の文字が予め定めた特定文字とは異なる非特定文字とされ、新たに情報が表示されることを報知する継続文字列を示す継続情報、及び最後の文字が前記特定文字とされ、新たに情報が表示されることなく前記情報表示演出が終了されることを報知する非継続文字列を示す非継続情報を含み、前記情報表示制御手段は、直前に表示された継続情報に示される文字列のうち最後の文字と同一の文字を最初の文字とした継続文字列を示す継続情報を表示させる継続制御、及び直前に表示された継続情報に示される文字列のうち最後の文字と同一の文字を最初の文字とした非継続文字列を示す非継続情報を表示させる非継続制御を実行可能に構成され、今回の単位演出を最後として前記情報表示演出を終了させる場合には、今回の単位演出で表示させる情報のうち最後の情報として前記非継続情報を表示させるように前記非継続制御を実行可能とされる一方で、前記最後の情報を除く他の情報として前記継続情報を表示させるように前記継続制御を実行し、今回の単位演出を最後として前記情報表示演出を終了させない場合には、今回の単位演出で表示させる各情報として前記継続情報を表示させるように前記継続制御を実行するようになっており、前記演出制御手段は、前記情報表示演出において表示される可能性がある情報を遊技者に示唆する示唆演出を実行させる制御を可能に構成されたことを要旨とする。
【手続補正３】
【補正対象書類名】明細書
【補正対象項目名】０００９
【補正方法】変更
【補正の内容】
【０００９】
請求項２に記載の発明は、請求項１に記載の遊技機において、前記所定の抽選の結果に基づき前記図柄変動ゲームの変動内容を決定する変動内容決定手段と、前記変動内容決定手段が決定した変動内容に基づき前記表示手段を制御して前記図柄変動ゲームを表示させるゲーム制御手段と、を備え、前記変動内容決定手段が決定する変動内容には、リーチを形成して行うリーチ演出のうち特定のリーチ演出が行われる特定変動内容、及び前記特定のリーチ演出が行われない非特定変動内容を含み、前記情報には、前記継続文字列及び前記非継続文字列とは異なる特別文字列を示す特別情報をさらに含み、前記情報表示制御手段は、直前に表示された継続情報に示される文字列のうち最後の文字と同一の文字を最初の文字とした特別文字列を示す特別情報を表示させる特別制御をさらに実行可能に構成され、今回の単位演出を最後として前記情報表示演出を終了させる場合であって、前記変動内容決定手段が前記特定変動内容を決定しているときには、前記最後の情報として前記特別情報を表示させるように前記特別制御を実行可能とされる一方で、前記変動内容決定手段が前記非特定変動内容を決定しているときには、前記最後の情報として前記非継続情報を表示させるように前記非継続制御を実行可能とされ、前記ゲーム制御手段は、前記情報表示制御手段が前記特別情報を表示させた場合には、前記変動内容決定手段が決定した前記特定変動内容に基づき前記特定のリーチ演出を表示させる一方で、前記情報表示制御手段が前記非継続情報を表示させた場合には、前記非特定変動内容に基づいて、前記特定のリーチ演出を表示させることなく図柄を導出させて前記図柄変動ゲームを終了させることを要旨とする。
【手続補正４】
【補正対象書類名】明細書
【補正対象項目名】００１０
【補正方法】変更
【補正の内容】
【００１０】
請求項３に記載の発明は、請求項１または２に記載の遊技機において、前記所定の抽選の結果に基づき前記図柄変動ゲームの変動内容を決定する変動内容決定手段を備え、前記変動内容決定手段は、前記図柄変動ゲームの変動内容を特定可能な変動パターンを決定することにより前記変動内容を決定するようになっており、前記変動パターンは、１回の図柄変動ゲームにおいて、図柄の変動開始から一旦停止表示までを１回とする変動サイクルを複数回にわたって表示可能であることを特定可能な第１変動パターン群、及び前記変動サイクルを１回だけ表示可能であることを特定可能な第２変動パターン群に分類可能であり、前記情報表示制御手段は、前記変動内容決定手段が前記第１変動パターン群に分類可能な変動パターンを決定した場合、この変動パターンで特定可能な変動サイクルのうち最終回の変動サイクルを除く他の変動サイクルに対応する演出時間毎に複数個の情報をそれぞれ表示させるように構成されたことを要旨とする。